(57)【要約】【課題】内部にシャンプーや育毛剤などの液体を充填でき、使用者の状況に応じて液体の使用量を容易に調節できるヘアーブラシを提供する。【解決手段】  基台本体部２の開口端面１６に流量調節板９を固定する。また、基台本体部２の開口端部の周方向全長に亙って、径方向外側に延設された係合爪１５を有する。ブリストル支持部４は、ブリストル５の先端部表面に放出孔６を形成し、周縁部の周方向全長に亙って、断面逆Ｌ字状に延びる係合部７を有する。基台本体部２の係合爪１５をブリストル支持部４の係合部７に係合させることにより、基台本体部２とブリストル支持部４を相対摺動可能に連結する。これにより、流量調節部材９は、ブリストル支持部４の反ブラッシング面１４において、連通路１８の横断方向で摺動自在にする。【選択図】    図１
2009240591.tif 000002
【特許請求の範囲】
【請求項１】
内部に液体充填部を有すると共に、外面に複数のブリストルが突設された基台と、前記ブリストルの表面に形成された放出孔と、前記液体充填部と前記放出孔とを連通する連通路と、前記連通路の横断方向に摺動自在に配設され、連通路の開度を増減調節可能な流量調節部材とで構成されていることを特徴とするヘアーブラシ。
【請求項２】
前記基台は、内部に液体充填部を有する基台本体部と、その基台本体部に取り付けられ、外面に前記ブリストルが突設されたブリストル支持部とで構成されている請求項１に記載のヘアーブラシ。
【請求項３】
前記基台本体部と前記ブリストル支持部が相対摺動可能に連結されると共に、前記ブリストル支持部の内側に隣接して前記流量調節部材が基台本体部に固定されている請求項２に記載のヘアーブラシ。
【請求項４】
前記基台本体部に軸部材挿入孔が貫通形成され、その軸部材挿入孔から前記基台の内部へ軸部材が挿入され、その軸部材の先端部に前記流量調節部材が取り付けられている請求項２に記載のヘアーブラシ。
【請求項５】
前記流量調節部材は、一又は複数の貫通孔が形成されている請求項１〜４のいずれか一項に記載のヘアーブラシ。
【請求項６】
前記放出孔は、前記ブリストルの先端部表面に形成されている請求項１〜５のいずれか一項に記載の記載のヘアーブラシ。
【請求項７】
前記基台に、液体充填部へシャンプーなどの液体を充填するための充填孔が形成されている請求項１〜６のいずれか一項に記載のヘアーブラシ。
【請求項８】
前記流量調節部材に、前記流量調節部材を操作するための操作部が設けられている請求項１〜７のいずれか一項に記載のヘアーブラシ。
【請求項９】
前記基台に、前記連通路の開度を表す目印が付されている請求項１〜８のいずれか一項に記載のヘアーブラシ。
【発明の詳細な説明】
【技術分野】
【０００１】
本発明は、頭皮や頭髪を洗浄する際に使用するヘアーブラシに関するものである。
【背景技術】
【０００２】
ヘアーブラシは、複数のブリストル（櫛歯）が突設されているブラシヘッドを備えた構造が広く知られており、この例として、特許文献１に記載のヘアーブラシがある。
【０００３】
特許文献１に記載のヘアーブラシは、外面に複数のブリストルが突設されたブラシヘッドの内部に液体収納部を有し、ブリストルの先端に、液体収納部に充填されたヘアートニックや育毛剤などの液体を放出させる放出孔が形成されたものである。
【特許文献１】特開２００１−２４５号公報
【発明の開示】
【発明が解決しようとする課題】
【０００４】
上記した特許文献１のヘアーブラシは、個々のブリストルの表面に形成された放出孔から育毛剤やシャンプーなどの液体が放出されるため、液体が頭髪や頭皮に過剰に付着することがない。
【０００５】
しかし、特許文献１のヘアーブラシは、使用者の状況（頭髪の長さなど）に応じて、ブリストルの表面から放出される液体の量を調節するのが困難である。
【０００６】
本発明は上記の事情に鑑みてなされたものであり、内部にシャンプーや育毛剤などの液体を充填でき、使用者の状況に応じて液体の使用量を容易に調節できるヘアーブラシを提供することを目的とする。
【課題を解決するための手段】
【０００７】
上記の課題を解決するための本発明のヘアーブラシは、内部に液体充填部を有すると共に、外面に複数のブリストルが突設された基台と、前記ブリストルの表面に形成された放出孔と、前記液体充填部と前記放出孔とを連通する連通路と、前記連通路の横断方向に摺動自在に配設され、連通路の開度を増減調節可能な流量調節部材とで構成されていることを特徴とする。
【０００８】
本発明の場合、流量調節部材の摺動により、連通路の開度（開口の大きさ）を増減させることができる。これにより、液体充填部に充填されたシャンプーなどの液体がブリストルの表面から放出される量を増減させることができる。なお、「摺動自在」の方向は、相対回転と相対直動を含む。
【０００９】
上記した本発明の基台は、内部に液体充填部を有する基台本体部と、その基台本体部に取り付けられ、外面にブリストルが突設されたブリストル支持部とで構成することができる。
【００１０】
上記の発明において、基台本体部とブリストル支持部を相対摺動可能に連結し、流量調節部材を、ブリストル支持部の内側に隣接させて、基台本体部に固定するようにすることができる。この場合、基台本体部或いはブリストル支持部の少なくともいずれかを、基台本体部或いはブリストル支持部に対して相対摺動させることにより、基台本体部に固定した流量調節部材を、ブリストル支持部において、連通路の横断方向に摺動させることができる。これにより、連通路の開度を増減調節して、ブリストルの表面から放出される前記液体の量を調節することができる。つまり、液体充填部に充填される前記液体の使用量を容易に調節することができる。
【００１１】
また、基台本体部に軸部材挿入孔を貫通形成し、その軸部材挿入孔から前記基台の内部へ軸部材を挿入し、この軸部材の先端部に前記流量調節部材を取り付けるようにしてもよい。
【００１２】
この場合、周方向に回転させるなどして軸部材を操作することにより、この軸部材の先端部に取り付けた流量調節部材を、ブリストル支持部において、連通路の横断方向に摺動させることができる。これにより、連通路の開度を増減調節して、ブリストルの表面から放出される前記液体の量を調節することができる。
【００１３】
これまでに述べた本発明の流量調節部材には、一又は複数の貫通孔を形成するのが望ましい。
【００１４】
この場合、流量調節部材を前記連通路の横断方向に摺動させた際、連通路の開度を多様に変化させることができる。そのため、ブリストルの表面から放出される前記液体の量を多様に調節することができる。
【００１５】
また、これまでに述べた本発明において、ブリストルの放出孔は、ブリストルの先端部表面に形成するのが望ましい。
【００１６】
このようにすると、ブリストルの表面から放出されるシャンプーなどの液体が、頭髪の深部である頭皮に行き届き易くなる。そのため、ヘアーブラシの頭皮洗浄能力が向上する。
【００１７】
また、既に述べた本発明は、基台に、液体充填部へシャンプーなどの液体を充填するための充填孔を形成するのが望ましい。
【００１８】
この場合、必要に応じて液体充填部に充填する液体の種類を変更することができるため、ヘアーブラシは、使い捨てにする必要はなく、複数回に亘って使用することができる。  
【００１９】
これまでに述べた本発明において、流量調節部材に、この流量調節部材を操作するための操作部を設けるようにするとよい。
【００２０】
この場合、流量調節部材を直接操作する必要がないため、ヘアーブラシの使い勝手が良くなる。
【００２１】
これまでに述べた本発明において、基台に、前記連通路の開度を表す目印を付すのが望ましい。
【００２２】
この本発明について、基台本体部とブリストル支持部を相対摺動可能に連結し、ブリストル支持部の内側に隣接して流量調節部材を基台本体部に固定し、ブリストル支持部に、相対摺動させるための操作部を設けた本発明のヘアーブラシを例に挙げて説明する。
【００２３】
このヘアーブラシの基台本体部に、液体の量を特定する「多」（ブリストルの表面から放出される前記液体の量が多い）、「少」（ブリストルの表面から放出される前記液体の量が少ない）、「切」（ブリストルの表面から前記液体が放出されない）の印を付す。この場合、基台本体部を固定した状態で、ブリストル支持部を摺動させることにより、前記操作部の位置を、基台本体部に付した目印のブリストル支持部側延長線上の位置に対応させると良い。この場合、前記連通路の開度を目視できるため、使用者の状況に応じて前記液体の使用量を即座に調節することができる。
【発明の効果】
【００２４】
本発明のヘアーブラシは、流量調節部材を連通路の横断方向に摺動させることにより、連通路の開度を増減させて、基台の液体充填部に充填された液体がブリストルの表面から放出される量を調節することができる。つまり、使用者の状況（頭髪の長さなど）に応じて前記液体の使用量を容易に調節できる。また、前記液体を効率よく使用できる。
【発明を実施するための最良の形態】
【００２５】
以下に本発明の実施の形態について、添付の図面（図１〜図１３）を参照して説明する。
【００２６】
図１〜図６に本発明の第１の実施形態を示す。図１は本実施形態のヘアーブラシの断面図を示し、図２に本実施形態のヘアーブラシの斜視図を示した。
【００２７】
図１に示すように、ヘアーブラシ１は、基台（基台本体部２、ブリストル支持部４）と、流量調節部材である流量調節板９を主要部とする。ブリストル支持部４は、円筒状で、一端面は複数のブリストル５（櫛歯）が突設されたブラッシング面１３をなす。また、周縁部に係合部７を有する。この係合部７は、ブリストル支持部４の周縁部から反ブリストル５側（図面上部側）に断面逆Ｌ字状に延びた形状をなす。
【００２８】
基台本体部２は、一端に開口部を有するカップ状をなし、開口端部の周方向全長に亙って、その開口端部から径方向外側に延設された係合爪１５を有する。また、基台本体部２の内部にはシャンプーなどの液体が充填される液体充填部１７を有する。なお、基台本体部２の反ブリストル５側端部は、反ブリストル５側へ延びる断面Ｔ字状の突出部３を有し、これをヘアーブラシ１の持ち手とする。
【００２９】
基台本体部２の開口端面１６には、円盤状の流量調節板９を溶着等により固定する。これにより、基台本体部２の開口部は閉塞される。
【００３０】
ブリストル５の先端部表面には、放出孔６を形成する。この放出孔６と基台本体部２の液体充填部１７は連通路１８で連通させる。連通路１８は、ブリストル支持部４の反ブラッシング面１４で開口した状態になる。
【００３１】
流量調節板９を固定した基台本体部２の係合爪１５は、ブリストル支持部４の係合部７に係合する。これにより、基台本体部２とブリストル支持部４が相対摺動可能に連結される。また、流量調節板９は、ブリストル支持部４の反ブラッシング面１４（ブリストル支持部４の内側）において、連通路１８の横断方向で摺動自在になる。図３に、ブリストル支持部４の反ブラッシング面１４を基台本体部２側から見た正面図を示す。
【００３２】
ここで、「摺動自在」とは、流量調節板９のブリストル支持部４に対する位置変化を意味し、相対回転と相対直動を含む。本実施形態では、流量調節板９は、基台本体部２に固定するため、この基台本体部２に追従して動く。そのため、基台本体部２とブリストル支持部４のうち少なくとも一方を摺動させることにより、流量調節板９を、ブリストル支持部４の反ブラッシング面１４において、連通路１８の横断方向に摺動させることができる。
【００３３】
ブリストル支持部４の円周面には、ブリストル支持部４のブラッシング面１３と平行する方向に延びる延設部８を設け、これは、ブリストル支持部４を摺動させるための操作部とする。この操作部でブリストル支持部４を周方向に摺動させると、流量調節板９は、ブリストル支持部４の反ブラッシング面１４で、周方向（つまり、連通路１８の横断方向）に摺動させることができる。
【００３４】
この流量調節板９には、図４（ブリストル５側から見た正面図）に示すように、大きさと形状が同じである複数の貫通孔１０を形成する。この貫通孔１０が形成された流量調節板９で、連通路１８を開度０とすることにより、流量調節板９の貫通孔１０と連通路１８が非連通状態になる。
【００３５】
流量調節板９の径方向中心部には、基台本体部２の液体充填部１７（図１参照）にシャンプーなどの液体を充填するための充填孔１１を形成し、この充填孔１１は止栓１２で密栓する。
【００３６】
次に、ヘアーブラシ１の組立て方法を、図５に示すフロー図を参照して説明する。
【００３７】
まず、ステップ１において、矢印Ａで示すように、基台本体部２の開口端面１６に固定した流量調節板９の充填孔１１を密栓する止栓１２を取り外す。このステップ１において、流量調節板９を反基台本体部２側（図面上部側）から見た正面図を円枠Ｏ内に示した。
【００３８】
次に、ステップ２において、矢印Ｂで示すように、充填孔１１から基台本体部２の内部の液体充填部１７にシャンプー２０を充填する。なお、このステップ２において、流量調節板９を反基台本体部２側から見た正面図を円枠Ｐ内に示した。
【００３９】
液体充填部１７にシャンプー２０を充填した後、ステップ３において、矢印Ｃで示すように、流量調節板９の充填孔１１を止栓１２で密栓する。なお、ステップ３において、流量調節板９を反基台本体部２側から見た正面図を円枠Ｑ内に示した。
【００４０】
そして、ステップ４において、白抜矢印Ｄで示すように、流量調節板９を固定した基台本体部２の係合爪１５をブリストル支持部４の係合部７に係合する。これにより、流量調節板９を固定した基台本体部２とブリストル支持部４を相対摺動可能にできる。また、流量調節板９は、ブリストル支持部４の反ブラッシング面１４において、連通路１８の横断方向で摺動自在になる。
【００４１】
最後にステップ４で組み立てたものを１８０°反転させて、ステップ５に示すように、使用前のヘアーブラシ１とする。
【００４２】
次に、図５のステップ５に示した状態のヘアーブラシ１を使用する際の使用方法について、図６に示すフロー図を参照して説明する。
【００４３】
まず、ステップ１に示すように、基台本体部２を固定した状態で、ブリストル支持部４の延設部８（操作部）を手で操作して、白抜矢印Ａで示すように、ブリストル支持部４を周方向時計周りに摺動させる。このステップ１において、ブリストル支持部４の反ブラッシング面１４と流量調節板９を基台本体部２の突出部３（持ち手）側から見た正面図（ブリストル支持部４の回転前）を円枠Ｘ内に示した。
【００４４】
ここで、円枠Ｘ内に示すように、ブリストル支持部４を周方向に摺動させる前は、流量調節板９により、連通路１８が開度０になっている。この状態では、流量調節板９の貫通孔１０と連通路１８が重なっておらず、流量調節板９の貫通孔１０と連通路１８が非連通状態になっている。
【００４５】
ステップ１の操作で、ブリストル支持部４を基台本体部２で周方向に摺動させるため、基台本体部２の開口端面１６に固定された流量調節板９は、基台本体部２の動きに追従して、ブリストル支持部４の反ブラッシング面１４で、周方向（連通路１８の横断方向）に摺動する。
【００４６】
上記の操作により、連通路１８の開度を増減させることができる。これにより、円枠Ｙ内の正面図（ブリストル支持部４の反ブラッシング面１４と流量調節板９を基台本体部２の突出部３側から見た正面図）に示すように、流量調節体９の貫通孔１０と連通路１８を局部的或いは全体的に重ならせて、基台本体部２の液体充填部１７とブリストル５の放出孔６の連通状態を変化させることができる。なお、連通路１８の開度が大きいほど（つまり、流量調節板９の貫通孔１０と連通路１８の重なり部分の面積が大きいほど）、ブリストル５の先端部表面に形成した放出孔６（以下、ブリストル５の先端とする）から放出されるシャンプー２０の量が多くなる。
【００４７】
このように、本実施形態では、基台本体部２を固定した状態で、ブリストル支持部４を周方向に摺動させることにより、流量調整板９を、ブリストル支持部４の反ブラッシング１４で、周方向（連通路１８の横断方向）に摺動させることができる。これにより、連通路１８の開度を増減させて、基台本体部２の内部の液体充填部１７に充填されるシャンプー２０がブリストル５の先端から放出される量を調節することができる。つまり、使用者の状況（頭髪の長さなど）に応じてシャンプー２０の使用量を容易に調節できる。さらに、シャンプー２０を効率よく使用することができる。なお、本実施形態のヘアーブラシ１は、基台本体部２を固定した状態で、ブリストル支持部４を周方向に摺動させたが、ブリストル支持部４を固定した状態で、基台本体部２を周方向に摺動させる場合、或いは、ブリストル支持部４と基台本体部２を互いに摺動させる場合においても、流量調節板９を摺動させることができるため、上述した本発明の作用および効果を得ることができる。
【００４８】
また、流量調節板９を摺動させる前は、この流量調節板の貫通孔１０と連通路１８を非連通状態にして、連通路１８を開度０の状態にする。この場合、ブリストル５の先端から液体充填部１７に充填されたシャンプー２０が放出されない。そのため、この状態をヘアーブラシ１の未使用時とすることができ、この状態（つまり、液体充填部１７にシャンプー２０が充填された状態）のまま、ヘアーブラシ１を保管することが可能になる。
【００４９】
また、流量調節板９は、基台本体部２の開口端面１６に固定するため、ヘアーブラシ１の部品点数を減らすことができる。これにより、ヘアーブラシ１の製造に必要なコストを削減できると共に、ヘアーブラシ１の組付け性を向上させることができる。
【００５０】
さらに、流量調節板９は、液体充填部１７にシャンプー２０を充填する充填孔１１を形成するため、必要に応じて、液体充填部１７に充填する液体を交換することができる。そのため、ヘアーブラシ１は、使い捨てにすることなく、複数回に亘って使用することができる。
【００５１】
本実施形態のヘアーブラシ１は、持ち手としての突出部３を基台本体部２に設けるため、ヘアーブラシ１を使用する際、突出部３を支持して使用することができる。そのため、使い勝手が良い。
【００５２】
また、ブリストル支持部４は、周方向に摺動させるための操作部８（つまり、流量調節板９を摺動させるための操作部８）を有する。そのため、ブリストル５の先端から放出されるシャンプー２０の量を調節する際、ブリストル支持部４を直接摺動させる必要がない。この点においても、ヘアーブラシ１は使い勝手が良い。
【００５３】
さらに、ヘアーブラシ１は、ブリストル５の先端部表面に放出孔６を形成するため、頭髪の深部である頭皮までシャンプー２０が行き届きやすく、頭皮洗浄能力に優れている。
【００５４】
図７および図８に本発明の第２の実施形態を示す。図７は本実施形態のヘアーブラシの断面図を示し、図８に本実施形態のヘアーブラシの斜視図を示した。なお、本実施形態において、図１〜図６に示す第１の実施形態と同じ部位、機能、形態を有する部品については同じ符号を付して、その詳細な説明を省略する。
【００５５】
本実施形態のヘアーブラシ３１は、基台本体部２に設けた突出部３（持ち手）の端部に、基台本体部２の液体充填部１７にシャンプーなどの液体を充填するための充填孔３４を形成し、この充填孔３４を止栓３５で密栓したものである。このため、図１に示すヘアーブラシ１において、流量調節板９に形成した充填孔１１と止栓１２が省略されている。
【００５６】
また、ヘアーブラシ３１は、図８に斜視図で示すように、基台本体部２の円周面３６に、連通路１８の開度を表す目印を刻み込む。なお、「切」は、ブリストル５の先端から液体が放出されないことを意味する。「少」は、ブリストル５の先端から放出される液体の量が最少であることを意味する。「多」は、ブリストル５の先端から放出される液体の量が最多であることを意味する。
【００５７】
この場合、連通路１８の開度を目視できるため、ブリストルの先端から放出される前記液体の量を即座に調節することができる。なお、ブリストルの先端から放出される前記液体の量が調節される機構については、図１〜図６に示す第１の実施形態と同じであるため、その詳細な説明を省略する。
【００５８】
なお、ブリストルの先端から放出される前記液体の量の調節は、延設部８（操作部）の周方向位置を、基台本体部２に刻んだ「切」、「少」、「多」の位置に対応させることで可能である。このように、ブリストル支持部４での操作部８の周方向位置を、基台本体部２の刻印間に対応する位置で変化させることにより、ブリストル５の先端から前記液体が放出される量を多様に変化させることができる。
【００５９】
図９に本発明の第３の実施形態を示す。本実施形態のヘアーブラシ７１は、基台（基台本体部２、ブリストル支持部４）と、軸部材７４と、流量調節部材である流量調節板７９で主要部が構成されている。なお、本実施形態において、図１と同じ部位、機能、形態を有する部品については、同じ符号を付して、その詳細な説明を省略する。
【００６０】
基台本体部２は、一端に開口部を有するカップ状をなし、基台本体部２は、反ブリストル５側端部の局所から反ブリストル支持部４側へ延びた断面Ｔ字状の突出部３（持ち手）を有する。基台本体部２の内部は、シャンプーなどの液体が充填される液体充填部１７を有する。また、基台本体部２の反ブリストル５側端部には、液体充填部１７にシャンプーなどの液体を充填するための充填孔７２を形成し、この充填孔７２は止栓７３で密栓する。さらに、基台本体部２の開口端部は、径方向外側に延設され、かつ、その開口端部の周方向全周に亙って延びる係合爪１５を有する。この係合爪１５の反端部側（図面上部側）外側面８４の一箇所に嵌合溝８１を形成する。なお、ブリストル支持部４は、図１に示す第１の実施形態と基本的に同じ形状であるが、係合部７の内側面８５の一箇所に嵌合突起８２を設ける。
【００６１】
基台本体部２はブリストル支持部４に連結させて固定する。これは、基台本体部２の係合爪１５をブリストル支持部４の係合部７に係合し、さらに、係止爪１５の嵌合溝８１に係合部７の嵌合突起８２を嵌合することにより行う。
【００６２】
円盤状の流量調節板７９は、基台本体部２の内壁７８に摺接させた状態とし、また、ブリストル支持部４の反ブラッシング面１４（ブリストル支持部４の内側）において、連通路１８の横断方向で摺動自在にする。
【００６３】
流量調節板７９は、図１０（基台本体部２側から見た正面図）に示すように、複数の貫通孔８０を形成し、この貫通孔８０は大きさと形状を同じにする。また、反ブリストル５側端面８３の径方向中心部に、軸部材圧入孔７７を形成する。
【００６４】
この軸部材圧入孔７７には、基台本体部２の突出部３（持ち手）の端部に形成した軸部材挿入孔７６から挿入した軸部材７４を圧入する。この軸部材７４は、一端部に軸部材挿入孔７６からの抜けを防止するための抜け止め部７５を有した断面Ｔ字状をなす。
【００６５】
次に、ヘアーブラシ７１の組立て方法について、図１１に示すフロー図を参照して説明する。
【００６６】
まず、ステップ１において、矢印Ａで示すように、基台本体部２の突出部３（持ち手）の端部に形成した軸部材挿入孔７６に、軸部材７４を挿入する。この軸部材７４は、流量調節板７９をブリストル支持部４の反ブラッシング面１４で摺動させるための操作部となる。上述したように、軸部材挿入孔７６に軸部材７４を挿入する際、軸部材７４の抜け止め部７５を突出部３（持ち手）の端面に当接させる。これにより、軸部材７４が軸部材挿入孔７６から抜け出て、軸部材７４および流量調節板７９が基台本体部２から外れるのを防止できる。
【００６７】
次に、ステップ２において、矢印Ｂで示すように、流量調節板７９の軸部材圧入孔７７に軸部材７４を圧入する。
【００６８】
続いて、ステップ３において、矢印Ｃで示すように、基台本体部２と流量調節板７９と軸部材７４の組付体Ｕをブリストル支持部４に連結させて固定する。これにより、流量調節板７９は、基台本体部２の内壁７８に摺接した状態となり、また、前記ブリストル支持部４の反ブラッシング面１４において、連通路１８の横断方向で摺動自在になる。これは、基台本体部２の係合爪１５をブリストル支持部４の係合部７に係合し、さらに、基台本体部２の係合爪１５の反端部側外側面８４に形成した嵌合溝８１に、ブリストル支持部４の係合部１５の内側面８５に設けた嵌合突起８２を嵌合することにより行う。これにより、ステップ４に示すように、ヘアーブラシ７１を完成させる。
【００６９】
次に、ヘアーブラシ７１の使用方法について、図１２に示すフロー図を参照して説明する。
【００７０】
まず、ステップ１において、矢印Ａで示すように、基台本体部２の止栓７３を外す。
【００７１】
次に、ステップ２において、矢印Ｂで示すように、充填孔７２から基台本体部２の液体充填部１７にシャンプー２０を充填する。
【００７２】
さらに、ステップ３において、矢印Ｃで示すように、充填孔７２を止栓７３で密栓する。
【００７３】
最後に、ステップ４に示すように、軸部材７４の抜け止め部７５を白抜矢印Ｄで示すように周方向時計回りに回転させることで、軸部材７４を白抜矢印Ｅで示すように周方向時計周りに回転させる。これにより、流量調節板７９が、ブリストル支持部４の反ブラッシング面１４で、抜け止め部７５や軸部材７４と同方向（白抜矢印Ｄや白抜矢印Ｅで示す方向）、つまり、連通路１８の横断方向に摺動する。
【００７４】
上記したステップ３の操作により、連通路１８の開度を増減させることができる。これにより、基台本体部２の液体充填部１７とブリストル５の放出孔６の連通状態を多様に変化させることができる。この結果、ブリストル５の先端から放出されるシャンプー２０の量を必要に応じて容易に調節することができる。
【００７５】
図１３に本発明の第４の実施形態を示す。本実施形態のヘアーブラシ５１は、基台本体部２におけるブリストル支持部４への取付端部５９に複数の貫通孔６０を形成することで、図１に示す第１の実施形態で説明した流量調節部材９（流量調節板）としての機能を具備させたものである。つまり、基台本体部２に流量調節部材５９を設けたものである。そのため、本実施形態のヘアーブラシ５１の作用および効果は、図１に示す第１の実施形態のヘアーブラシ１と同じであるため、その説明を省略する。また、ブリストル支持部４の構造については、図１に示す第１の実施形態と同じであるため、その詳細な説明を省略する。
【００７６】
ヘアーブラシ５１は、基台（基台本体部５２、ブリストル支持部４）で主要部が構成されている。ブリストル支持部４は、一端面が、複数のブリストル５が突設されてブラッシング面１３をなし、周縁部に係合部７を有する。この係合部７は、ブリストル支持部４の周縁部から反ブリストル５側（図面上部側）に断面逆Ｌ字状に延びた形状をなす。
【００７７】
基台本体部５２は、中空状をなし、内部には、シャンプーなどの液体が充填される液体充填部６７を有する。この基台本体部２は、一端部に、径方向外側に延設され、かつ、その取付端部５９の周方向全長に亙って延びる係合爪６３を有する。この係合爪６３をブリストル支持部４の係合部７に係合する。これにより、基台本体部５２とブリストル支持部４を相対摺動可能に連結することができる。また、流量調節部材５９は、ブリストル支持部４の反ブラッシング面１４（ブリストル支持部４の内側）において、連通路１８の横断方向で摺動自在になる。
【００７８】
また、基台本体部５２は、反取付端部、つまり、反ブリストル５側端部の局所を反ブリストル５側に起立させた断面Ｔ字状の突出部５３を有し、これを持ち手５３とする。この持ち手５３の端部に、基台本体部５２の液体充填孔６７にシャンプーなどの液体を充填するための充填孔６１を形成する。この充填孔６１は止栓６２で密栓する。
【００７９】
このように、本実施形態では、基台本体部５２に流量調節部材５９を設けるため、流量調節板９を使用する必要はなく、部品点数を減らすことができる。さらに、ヘアーブラシ５１の製造コストを大幅に削減することができると共に、ヘアーブラシ５１の組付け性が向上する。
【００８０】
以上、本発明の実施の形態について説明したが、本発明は、これらに限らず、特許請求の範囲に記載の技術的思想を逸脱しない範囲内で任意に変更が可能である。
【００８１】
例えば、図１、図７に示す第１および第２の実施形態では、基台本体部２を固定した状態で、ブリストル支持部４に設けた延設部８（操作部）を操作してブリストル支持部４を周方向に摺動させることにより、流量調節板９を、ブリストル支持部４の反ブラッシング面１４において、周方向（つまり、連通路１８の横断方向）に摺動させる。しかし、ブリストル支持部４を固定した状態で、基台本体部２に設けた延設部（操作部）を操作して基台本体部２を周方向に摺動させることにより、流量調節板９を、ブリストル支持部４の反ブラッシング面１４において、周方向に摺動させるようにしても良い。
【００８２】
また、第２の実施形態（図７参照）に示す構造のヘアーブラシにおいて、連通路の開度を表す目印をブリストル支持部の外周面に付し、基台本体部の外周面に、基台本体部をブリストル支持部で周方向に摺動させるための延設部（操作部）を設けるようにしてもよい。この場合、ブリストル支持部を固定した状態で延設部（操作部）を操作して、基台本体部を周方向に摺動させ、延設部（操作部）の周方向位置を、前記ブリストル支持部に付した目印の周方向位置に対応させる。これにより、液体充填部に充填された液体がブリストルの先端から放出される量を即座に調節することができる。なお、流量調節部材が目視できる場合は、この流量調節部材に連通路の開度を表す目印を付すようにしても良い。
【００８３】
なお、本発明において、流量調節部材に形成する貫通孔は、一つでも複数でもよく、また、貫通孔を複数とする場合、これらの大きさと形状を異ならせても良い。また、流量調節部材を摺動させる方向は、本実施形態のような周方向に限られることはなく、径方向にするなど、任意に変更が可能である。
【図面の簡単な説明】
【００８４】
【図１】本発明の第１の実施形態を示す断面図である。
【図２】図１に示すヘアーブラシの斜視図である。
【図３】図１に示すブリストル支持部の反ブラッシング面を基台本体部側から見た正面図である。
【図４】図１に示す流量調節板をブリストル側から見た正面図である。
【図５】図１に示すヘアーブラシの組立て方法を説明する断面図である。
【図６】図１に示すヘアーブラシの使用方法を説明する断面図である。
【図７】本発明の第２の実施形態を示す断面図である。
【図８】図７に示すヘアーブラシの斜視図である。
【図９】本発明の第３の実施形態を示す断面図である。
【図１０】図９に示す流量調節板を示す断面図である。
【図１１】図９に示すヘアーブラシの組立て方法を説明する断面図である。
【図１２】図９に示すヘアーブラシの使用方法を説明する断面図である。
【図１３】本発明の第４の実施形態を示す断面図である。
【符号の説明】
【００８５】
１、３１、５１、７１          ヘアーブラシ
２、５２                      基台本体部
３、５３                      突出部（持ち手）
４                            ブリストル支持部
５                            ブリストル
６                            放出孔
７                            係合部
８                            延設部（操作部）
９、７９                      流量調節板
１０、６０、８０              貫通孔
１１、３４、６１、７２        充填孔
１２、３５、６２、７３        止栓
１３                          ブラッシング面
１４                          反ブラッシング面
１５、６３                    係合爪
１６                          開口端面（基台本体部）
１７、６７                    液体充填部
１８                          連通路
２０                          シャンプー
３６                          円周面（基台本体部）
５９                          取付端部（流量調節部材）
７４                          軸部材（操作部）
７５                          抜け止め部
７６                          軸部材挿入孔（基台本体部）
７７                          軸部材圧入孔（流量調節板）
７８                          内壁（基台本体部）
８１                          嵌合溝（基台本体部）
８２                          嵌合突起（ブリストル支持部）
８３                          反ブリストル側端面（流量調節板）
【図１】
2009240591.tif 000003
【図２】
2009240591.tif 000004
【図３】
2009240591.tif 000005
【図４】
2009240591.tif 000006
【図５】
2009240591.tif 000007
【図６】
2009240591.tif 000008
【図７】
2009240591.tif 000009
【図８】
2009240591.tif 000010
【図９】
2009240591.tif 000011
【図１０】
2009240591.tif 000012
【図１１】
2009240591.tif 000013
【図１２】
2009240591.tif 000014
【図１３】
2009240591.tif 000015